(57)【要約】【課題】  ひずんだ鼻板に取り付ける際にも対応できるような微調整を可能にする軒樋吊具を提供する。【解決手段】  鼻板固定面２１から前方に腕部２２が延設した鼻板固定部材２と、前記腕部２２の下方に連結部材４によって連結される軒樋保持部材３からなる軒樋吊具１であって、前記腕部２２に設けられた前後長手の長穴２３への連結部材４の挿入位置によって、軒樋保持部材３の前後位置調節（図１矢印Ａ）が自在であるとともに、軒樋保持部材３の上面には、連結部材４の挿入孔３３をその頂点に有する弧状隆起面３２が形成され、前記腕部２２の水平面と弧状隆起面３２との当接位置の選択によって軒樋保持部材３の先端部の上下角度調節（図１矢印Ｂ）が自在である。【選択図】図１
2008106540.tif 000002
【特許請求の範囲】
【請求項１】
鼻板固定面から前方に腕部が延設した鼻板固定部材と、前記腕部の下方に連結部材によって連結される軒樋保持部材からなる軒樋吊具であって、前記腕部に設けられた前後長手の長穴への連結部材の挿入位置によって、軒樋保持部材の前後位置調節が自在であるとともに、軒樋保持部材の上面には、連結部材の挿入孔をその頂点に有する弧状隆起面が形成され、前記腕部の水平面と弧状隆起面との当接位置の選択によって軒樋保持部材の先端部の上下角度調節が自在であることを特徴とする軒樋吊具。
【発明の詳細な説明】
【技術分野】
【０００１】
本発明は、軒樋吊具に関するものである。
【背景技術】
【０００２】
軒樋吊具は、鼻板に取り付け、軒樋を嵌合させて支持するためのものであり、金属製やプラスチック製のものがある。修理やリフォーム等で軒樋吊具を設置しようとした場合、ある程度の年月が経過した後の鼻板は、ひずみが生じてしまっており、プラスチック製の軒樋吊具は曲げ加工してひずみに対する修正を行うことができない。したがって、従来は、金属製の軒樋吊具を用いて、現場において曲げ加工してひずみに対する修正を行うか、あるいはプラスチック製の軒樋吊具を用いて、ひずみを無視して軒樋に力をかけて強引に接続する方法を用いていた。
【０００３】
しかしながら、金属製の軒樋吊具を用いた場合、金属製の軒樋吊具は重量が大であり施工に手間がかかり、またコストも高く、さらに現場での曲げ加工は時間や労力がかかり施工効率が悪いという問題点があった。一方、プラスチック製の軒樋吊具を用いた場合は、ひずみ修正ができず軒樋に無理な力がかかった状態で施工するため、強風や積雪等の外力を受けた際に破損しやすくなり、また軒樋の勾配も一定にすることができず、雨水等の排出も悪くなるという問題点があった。
【０００４】
この問題に対しては、特許文献１（特開平０９−２４２２７８号公報）のような、半円形状の角度合わせ面に沿って軒先取付部材の角度調節が可能である軒樋吊具によって、ひずみに対応することも考慮される。しかし、特許文献１記載の軒樋吊具では、屋根勾配や鼻板等の傾斜角度に対応させることは可能であっても、角度調節のみで鼻板のひずみに対応することは当然に困難であり、軒樋に無理な力がかかった状態で施工しなければならないという問題は解決されていないのが現状である。
【特許文献１】特開平０９−２４２２７８号公報
【発明の開示】
【発明が解決しようとする課題】
【０００５】
本発明は、以上の通りの事情に鑑みてなされたものであり、ひずんだ鼻板に取り付ける際にも対応できるような微調整を可能にする軒樋吊具を提供することを課題とする。
【課題を解決するための手段】
【０００６】
本発明は、上記の課題を解決するために、第１に、鼻板固定面から前方に腕部が延設した鼻板固定部材と、前記腕部の下方に連結部材によって連結される軒樋保持部材からなる軒樋吊具であって、前記腕部に設けられた前後長手の長穴への連結部材の挿入位置によって（連結部材を長穴に沿ってスライドさせることによって）、軒樋保持部材の前後位置調節が自在であるとともに、軒樋保持部材の上面には、連結部材の挿入孔をその頂点に有する弧状隆起面が形成され、前記腕部の水平面と弧状隆起面との当接位置の選択によって軒樋保持部材の先端部の上下角度調節が自在であることを特徴としている。
【発明の効果】
【０００７】
上記第１の発明によれば、腕部に設けられた前後長手の長穴への連結部材の挿入位置によって、軒樋保持部材の前後位置調節が自在であるとともに、軒樋保持部材の上面には、連結部材の挿入孔をその頂点に有する弧状隆起面が形成され、前記腕部の水平面と弧状隆起面との当接位置の選択によって軒樋保持部材の先端部の上下角度調節が自在である。
【０００８】
そして、軒樋保持部材の前後位置調節と軒樋保持部材の先端部の上下角度調節とを組み合わせることによって、鼻板のひずみに対して微調整することができ、ねじり等の力をかけずに軒樋を設置することができる。
【発明を実施するための最良の形態】
【０００９】
以下、本発明の軒樋吊具について詳しく説明する。
【００１０】
図１は、本発明の軒樋吊具の一実施形態を示した側面図および要部断面拡大図である。
【００１１】
図２は、図１の軒樋吊具の斜視図である。
【００１２】
図３は、図１の軒樋吊具の上面図である。
【００１３】
図４は、図１の軒樋吊具の下面図である。
【００１４】
本発明の軒樋吊具１は、例えば、図１〜４のような形態を有している。
【００１５】
なお、本発明の前後方向の定義としては、軒樋吊具から見て建築躯体（鼻板）側を後、その逆を前とし、その他はこの定義に従って相対的に前方向か後方向かで判断し、記載している。また、軒先で垂木の端を隠すためにつける長い横板を指す用語として、「鼻板」、「鼻隠（し）板」、「鼻隠（し）」、「鼻搦め」、「風返し」等、当業者においていくつかの呼称が存在するが、本発明においては「鼻板」と記載している。
【００１６】
図１〜４に示されるように、本発明の軒樋吊具１は、鼻板固定部材２と、軒樋保持部材３と、鼻板固定部材２および軒樋保持部材３を連結する連結部材４とからなる。
【００１７】
鼻板固定部材２は、鼻板固定面２１から前方に腕部２２が延設されている。そして、この腕部２２には、上下に貫通し前後方向を長手とする長穴２３が設けられている。また、図１〜４に示されるように、連結部材４を支点として軒樋保持部材３が水平面で回転しないように、腕部２２の両側面部にガイド壁２４を設けてもよい。
【００１８】
軒樋保持部材３は、前記鼻板固定部材２の腕部２２に対して下方に位置し、連結部材４によって鼻板固定部材２と連結している。例えば、図１、２、４に示されるような、軒樋保持部材３の前後両端に軒樋の前耳および後耳を保持する耳受け部３１を有する構造とすることができる。また、軒樋保持部材３の上面には、連結部材４の挿入孔３３をその頂点に有する弧状隆起面３２が形成されている。そして、前記腕部２２の水平面と弧状隆起面３２とが当接している。
【００１９】
連結部材４は、ナット、ボルト、ネジ、ピン等、一般的な連結部材であり、固定が強固にできれば特に制限されないので、図１〜４のように、ナット４１と先端にネジ部を有する棒材４２を用いて固定してもよい。
【００２０】
この構成によって、以下のような効果を奏することができる。
【００２１】
まず、前記腕部２２に設けられた前後長手の長穴２３への連結部材４の挿入位置によって、軒樋保持部材３の前後位置調節（前後スライド調節）（図中矢印Ａ）を自在とすることができる。
【００２２】
そして、前記腕部２２の水平面と弧状隆起面３２との当接位置の選択によって軒樋保持部材３の先端部の上下角度調節（図中矢印Ｂ）を自在とすることもできる。
【００２３】
ここで、腕部２２と軒樋保持部材３とは、弧状隆起面３２において当接しているが、弧状であるため腕部２２と弧状隆起面３２とは線で接しており、他の線では当接していない。これは、嵌合あるいは他の面、線において接してしまうと、たとえ前後位置調節が可能であっても、上記の様な上下角度調節ができないことになるからである。
【００２４】
これらの調節機能によって、軒樋吊具１（鼻板固定部材２、軒樋保持部材３、連結部材４）は、従来ひずみに対応することができなかったプラスチック製とすることが可能となる。また、本発明の軒樋吊具１は金属製としてもよく、現場において曲げ加工を行うよりも容易にひずみに対応でき、材質としては特に制限されるところはない。
【００２５】
鼻板固定部材２と軒樋保持部材３との連結構造としては、前後位置調節および上下角度調節を妨げない限りに特に制限されない。例えば、図１のように、棒材４２の片端に断面視円状の支点部４３を設け、挿入孔３３の下端に支点部と同径の溝３４を形成し、挿入孔３３を断面視扇形に形成しておき、棒材４２を挿入孔３３と長穴２３に連通させて支点部４３と溝３４とを合わせ、棒材の先端のネジ部をナット４１で締める構造としてもよい。この連結構造によって、上下角度調節を滑らかにすることができ、好適に用いることができる。
【００２６】
以上のような本発明の軒樋吊具１が有する機能である前後位置調節（図１矢印Ａ）と上下角度調節（図１矢印Ｂ）とを組み合わせることによって、鼻板のひずみに対して容易に対応することができ、軒樋をねじり等の力をかけずに設置することができる。
【図面の簡単な説明】
【００２７】
【図１】本発明の軒樋吊具の一実施形態を示した側面図および要部断面拡大図である。
【図２】図１の軒樋吊具の斜視図である。
【図３】図１の軒樋吊具の上面図である。
【図４】図１の軒樋吊具の下面図である。
【符号の説明】
【００２８】
１  軒樋吊具
２  鼻板固定部材
２１  鼻板固定面
２２  腕部
２３  長穴
２４  ガイド壁
３  軒樋保持部材
３１  耳受け部
３２  弧状隆起面
３３  挿入孔
３４  溝
４  連結部材
４１  ナット
４２  棒材
４３  支点部
【図１】
2008106540.tif 000003
【図２】
2008106540.tif 000004
【図３】
2008106540.tif 000005
【図４】
2008106540.tif 000006